(57)【要約】【課題】広帯域無線接続システム（Ｂｒｏａｄｃａｓｔｉｎｇ  Ｗｉｒｅｌｅｓｓ  Ａｃｃｅｓｓ  Ｓｙｓｔｅｍ）のページング（ｐａｇｉｎｇ）方法において、遊休モード（ｉｄｌｅ  ｍｏｄｅ）にある端末に様々なページング周期を割り当てるための方法に関する。【解決手段】遊休モードを支援する通信システムにおいて移動端末にページング周期を割り当てる方法において、前記移動端末から希望するページング周期が要請される段階と、前記移動端末から要請された希望ページング周期と移動端末のサービング基地局が属したページンググループで共通して使用している基本ページング周期とを用いて前記移動端末に実際に割り当てるページング周期を算出する段階と、前記算出されたページング周期を前記移動端末に割り当てる段階と、を備えることを特徴とする。【選択図】図１
2008508779.tif 000002
【特許請求の範囲】
【請求項１】
遊休モードを支援する通信システムにおいて移動端末にページング周期を割り当てる方法において、
移動端末から希望するページング周期が要請される段階と、
前記移動端末から要請された希望ページング周期と移動端末のサービング基地局が属したページンググループで共通して使用している基本ページング周期とを用いて前記移動端末に実際に割り当てるページング周期を算出する段階と、
前記算出されたページング周期を前記移動端末に割り当てる段階と、
を備えることを特徴とする、ページング周期割り当て方法。
【請求項２】
前記算出されたページング周期ごとに前記移動端末にページング（ＭＯＢ＿ＰＡＧ−ＡＤＶ）メッセージを転送する段階をさらに備えることを特徴とする、請求項１に記載のページング周期割り当て方法。
【請求項３】
前記サービング基地局の属するページンググループの他の基地局に、前記移動端末に割り当てられたページング周期に関する情報を転送する段階をさらに備えることを特徴とする、請求項１に記載のページング周期割り当て方法。
【請求項４】
前記算出されたページング周期は、前記希望ページング周期に最も近接するように前記基本ページング周期の整数倍で算出されることを特徴とする、請求項１に記載のページング周期割り当て方法。
【請求項５】
前記ページング周期が要請される段階は、
前記希望ページング周期に関する情報が含まれた遊休モードへの切り替えを要請する第１メッセージを、前記移動端末から受信する段階を含むことを特徴とする、請求項１に記載のページング周期割り当て方法。
【請求項６】
前記第１メッセージは、登録解除要請（ＤＲＥＧ＿ＲＥＱ）メッセージであることを特徴とする、請求項５に記載のページング周期割り当て方法。
【請求項７】
前記算出されたページング周期を前記移動端末に割り当てる段階は、
前記算出されたページング周期に関する情報が含まれた遊休モードへの切り替えを命令する第２メッセージを、前記移動端末に送信する段階を含むことを特徴とする、請求項１に記載のページング周期割り当て方法。
【請求項８】
前記第２メッセージは、登録解除命令（ＤＲＥＧ＿ＣＭＤ）メッセージであることを特徴とする、請求項７に記載のページング周期割り当て方法。
【請求項９】
前記他の基地局に転送されるページング周期に関する情報は、前記移動端末に割り当てられたページング周期と前記基本ページング周期との倍率（ｍｕｌｔｉｐｌｉｅｒ）に関する情報を含むことを特徴とする、請求項３に記載のページング周期割り当て方法。
【請求項１０】
前記他の基地局に転送されるページング周期に関する情報は、ページング通知（Ｐａｇｉｎｇ−ａｎｎｏｕｎｃｅ）メッセージに含まれることを特徴とする、請求項３に記載のページング周期割り当て方法。
【請求項１１】
遊休モードを支援する通信システムにおいて移動端末がページング周期を受信する方法において、
前記サービング基地局に希望するページング周期を要請する段階と、
前記サービング基地局から前記サービング基地局の属するページンググループで共通して使用している基本ページング周期の整数倍のうち、前記希望ページング周期に最も近接するページング周期を受信する段階と、
を備えることを特徴とする、ページング周期割り当て方法。
【請求項１２】
前記受信したページング周期ごとに、前記ページンググループに属するいずれか一つの基地局からページング（ＭＯＢ＿ＰＡＧ−ＡＤＶ）メッセージを受信する段階をさらに備えることを特徴とする、請求項１１に記載のページング周期割り当て方法。
【請求項１３】
前記ページング周期を要請する段階は、
前記希望ページング周期に関する情報が含まれた遊休モードへの切り替えを要請する第１メッセージを、前記サービング基地局に送信する段階を含むことを特徴とする、請求項１１に記載のページング周期割り当て方法。
【請求項１４】
前記第１メッセージは、登録解除要請（ＤＲＥＧ＿ＲＥＱ）メッセージであることを特徴とする、請求項１３に記載のページング周期割り当て方法。
【請求項１５】
前記ページング周期を受信する段階は、
前記受信したページング周期に関する情報が含まれた遊休モードへの切り替えを命令する第２メッセージを、前記サービング基地局から受信する段階を含むことを特徴とする、請求項１１に記載のページング周期割り当て方法。
【請求項１６】
前記第２メッセージは、登録解除命令（ＤＲＥＧ＿ＣＭＤ）メッセージであることを特徴とする、請求項１５に記載のページング周期割り当て方法。
【発明の詳細な説明】
【技術分野】
【０００１】
本発明は、広帯域無線接続システムのページング（ｐａｇｉｎｇ）方法に係り、具体的には、遊休モードにある移動端末に様々なページング周期を割り当てるための方法に関する。
【背景技術】
【０００２】
広帯域無線接続システム（Ｂｒｏａｄｃａｓｔｉｎｇ  Ｗｉｒｅｌｅｓｓ  Ａｃｃｅｓｓ  Ｓｙｓｔｅｍ）では、移動端末の電力消耗を最小化するために遊休モード（ｉｄｌｅ  ｍｏｄｅ）を支援している。遊休モード中に、移動端末は、同一のページング領域（Ｐａｇｉｎｇ  Ｚｏｎｅ）に含まれる基地局間を移動する際にハンドオフを行う必要がない。したがって、移動端末は、ハンドオフを行うための上り（Ｕｐｌｉｎｋ）情報を転送しなくて済むため、その分、電力消耗を低減できる。
【０００３】
次に、遊休モードの動作について説明する。
【０００４】
ページング領域は、ページンググループ（Ｐａｇｉｎｇ  Ｇｒｏｕｐ）という複数の基地局が担当する全体領域と定義され、同一のページング領域に含まれる基地局は、同一のページング周期（Ｐａｇｉｎｇ＿Ｃｙｃｌｅ）とページングオフセット（Ｐａｇｉｎｇ＿Ｏｆｆｓｅｔ）を有する。
【０００５】
移動端末は、基地局に遊休モードへの切り替えを要請することができ、当該基地局は、自分のページング領域識別子（Ｐａｇｉｎｇ−ｇｒｏｕｐ  ＩＤ）とそれによるページング周期及びページングオフセットを前記端末に伝達する動作を行う。このような動作によって前記移動端末は遊休モードに切り替わることができ、遊休モードの間に、移動端末は、前記基地局から伝達された前記ページング周期ごとに前記基地局から放送（ｂｒｏａｄｃａｓｔ）形態に伝達されるページングメッセージを介して引き続き遊休モードを維持するか、終了するかを判断することができる。
【０００６】
遊休モードにある移動端末が転送すべきトラヒック（ｔｒａｆｆｉｃ）が発生した場合、前記移動端末は、いつでも遊休モードを終了することができる。また、ページング領域に属する基地局から前記遊休モードにある移動端末へ伝達すべきトラヒックが発生した場合、基地局は、ページングを介して、前記遊休モードにある移動端末が遊休モードを終了するようにすることができる。前記遊休モードにあった移動端末が移動して他のページング領域に移動する、または、前記ページング領域に属する基地局との動機を喪失するなどの理由から、定められた時間にページングを受信できない場合、該当の移動端末は遊休モードを終了する。
【０００７】
したがって、遊休モードに入った移動端末には、受信または転送すべき情報がない限り、周期的なページングを正常に受信することによって、ハンドオフを行わずにも同一のページング領域における自由な移動が保障される。
【０００８】
１）ページング領域の構成
一つのページング領域を構成するためには、下記の表１のような形式のバックボーンメッセージ（Ｐａｇｉｎｇ−ｇｒｏｕｐ−ａｃｔｉｏｎ）が使用される。該バックボーンメッセージ（ｂａｃｋｂｏｎｅ  ｍｅｓｓａｇｅ）は、基地局間に有線上で伝達され、動作（Ａｃｔｉｏｎ）ビットの組み合わせによって、下記の４用途に用いられる。
【０００９】
【表１】
2008508779.tif 000003
一つの基地局は一つ以上のページング領域に属することができるため、前記バックボーンメッセージは複数個のページンググループに関する情報を含むことができる。前記バックボーンメッセージ（Ｐａｇｉｎｇ−ｇｒｏｕｐ−ａｃｔｉｏｎ）から、基地局は、各ページング領域で用いられるページング周期とページングオフセットを確認できる。したがって、前記バックボーンメッセージを介して基地局をページンググループに動的に割り当てることが可能である。
【００１０】
２）遊休モードへの切り替え
移動端末は遊休モードに切り替えるためにＭＡＣ（ｍｅｄｉａ  ａｃｃｅｓｓ  ｃｏｎｔｒｏｌ）メッセージの一つである登録解除要請（ＤＲＥＧ＿ＲＥＱ）メッセージを使用する。該ＤＲＥＧ＿ＲＥＱメッセージの形式を、下記の表２に示す。
【００１１】
【表２】
2008508779.tif 000004
前記移動端末は、ＤＥＲＧ＿ＲＥＱメッセージの登録解除要請コード（Ｄｅ−ｒｅｇｉｓｔｒａｔｉｏｎ  Ｒｅｑｕｅｓｔ  Ｃｏｄｅ）を０ｘ０１に設定してサービング基地局に伝達することによって、自身が遊休モードに切り替えることを要請できる。この時、前記移動端末は、所望のページング周期をサービング基地局に伝達することができる。
【００１２】
前記ＤＥＲＧ＿ＲＥＱメッセージを受け取ったサービング基地局は、登録解除命令（ＤＲＥＧ＿ＣＭＤ）メッセージを介して前記移動端末の登録解除要請に応答できる。該ＤＲＥＧ＿ＣＭＤメッセージの形式を、下記の表３に示す。
【００１３】
【表３】
2008508779.tif 000005
サービング基地局は、下記の表４に示すＤＲＥＧ＿ＣＭＤメッセージの動作コード（Ａｃｔｉｏｎ  Ｃｏｄｅ）を通じて移動端末の遊休モードへの切り替えを許容する（動作コード＝０ｘ０５）、一定時間後に前記移動端末が再び遊休モードへの切り替えを要請するようにする（動作コード＝０ｘ０６）、または、前記基地局がＤＲＥＧ＿ＣＭＤメッセージを転送するまで前記移動端末がそれ以上遊休モードへの切り替えを要請しないようにすることができる（動作コード＝０ｘ０７）。
【００１４】
また、前記サービング基地局は、ＴＬＶ（Ｔｙｐｅ，Ｌｅｎｇｔｈ  ａｎｄ  Ｖａｌｕｅ）を通じて、該当の移動端末が遊休モードの間に使用するページンググループＩＤ、ページング周期及びページングオフセットを前記移動端末に伝達できる。
【００１５】
【表４】
2008508779.tif 000006
遊休モードに切り替わった移動端末は、予め定められたページング周期とページングオフセットを用いて、放送（Ｂｒｏａｄｃａｓｔ）形態に伝達されるページングメッセージ（ＭＯＢ−ＰＡＧ＿ＡＤＶ）を受信できる。このページングメッセージ（ＭＯＢ−ＰＡＧ＿ＡＤＶ）は、下記表５のような形式を有する。前記移動端末は、前記ページングメッセージ（ＭＯＢ−ＰＡＧ＿ＡＤＶ）を受信して、前記移動端末の遊休モードを保持する、または、遊休モードを終了することが可能である。
【００１６】
【表５】
2008508779.tif 000007
【発明の開示】
【発明が解決しようとする課題】
【００１７】
上述した従来技術における最も大きい問題点は、同一のページング領域に属する全ての移動端末は、遊休モードにおいて一つのページング周期のみを有することができるという点である。したがって、相対的に少ない量の電力を持っている移動端末がより長いページング周期を要求しても、既にページング領域を構成するに当たって決定されたページング周期を従うしかないという不合理な側面が発生してしまう。特に、既存のＤＲＥＧ＿ＲＥＱとＤＲＥＧ＿ＣＭＤのＴＬＶエンコーディングパラメータ（Ｅｎｃｏｄｉｎｇ  ｐａｒａｍｅｔｅｒ）に含まれているページング周期要求（Ｐａｇｉｎｇ  Ｃｙｃｌｅ  Ｒｅｑｕｅｓｔ）領域は、全く無意味になるという問題点があった。
【００１８】
また、基地局は、１ページング領域で同時に多い移動端末が遊休モードに切り替える場合、毎ページング周期ごとに放送形態に伝達されるページング（ＭＯＶ＿ＰＡＧ−ＡＤＶ）メッセージに全ての端末のＭＡＣアドレス（２４ビット）を含めなければならないため、ページング（ＭＯＶ＿ＰＡＧ−ＡＤＶ）の長さが大きく増加するという短所があった。
【００１９】
したがって、本発明の目的は、遊休モードへの切り替えを要請する移動端末に様々な長さのページング周期を割り当てる方法を提供することにある。
【課題を解決するための手段】
【００２０】
上記目的を達成するために、本発明に係るページング周期割り当て方法は、遊休モードを支援する通信システムにおいて移動端末にページング周期を割り当てる方法において、
移動端末から希望するページング周期が要請され、前記移動端末から要請された希望ページング周期と移動端末のサービング基地局が属したページンググループで共通して使用している基本ページング周期とを用いて前記移動端末に実際に割り当てるページング周期を算出し、前記算出されたページング周期を前記移動端末に割り当てることを特徴とする。
【００２１】
本発明の他の様相として、前記算出されたページング周期ごとに前記移動端末にページング（ＭＯＢ＿ＰＡＧ−ＡＤＶ）メッセージを転送し、前記サービング基地局の属するページンググループの他の基地局に、前記移動端末に割り当てられたページング周期に関する情報を転送することを特徴とする
本発明の他の様相として、前記算出されたページング周期は、前記希望ページング周期に最も近接するように前記基本ページング周期の整数倍で算出されることが好ましい。
【００２２】
また、前記ページング周期が要請される段階は、前記希望ページング周期に関する情報が含まれた遊休モードへの切り替えを要請する第１メッセージを、前記移動端末から受信する段階であることが好ましく、前記第１メッセージは、登録解除要請（ＤＲＥＧ＿ＲＥＱ）メッセージであることがより好ましい。
【００２３】
また、前記算出されたページング周期を前記移動端末に割り当てる段階は、前記算出されたページング周期に関する情報が含まれた遊休モードへの切り替えを命令する第２メッセージを、前記移動端末に送信する段階であることが好ましく、前記第２メッセージは、登録解除命令（ＤＲＥＧ＿ＣＭＤ）メッセージであることがより好ましい。
【００２４】
また、前記他の基地局に転送されるページング周期に関する情報は、前記移動端末に割り当てられたページング周期と前記基本ページング周期との倍率（ｍｕｌｔｉｐｌｉｅｒ）に関する情報を含むことが好ましく、前記他の基地局に転送されるページング周期に関する情報は、ページング通知（Ｐａｇｉｎｇ−ａｎｎｏｕｎｃｅ）メッセージに含まれることがより好ましい。
【００２５】
本発明に係るページング周期割り当て方法は、サービング基地局に希望するページング周期を要請し、前記サービング基地局から前記サービング基地局の属するページンググループで共通して使用している基本ページング周期の整数倍のうち、前記希望ページング周期に最も近接するページング周期を受信することを特徴とする。
【００２６】
本発明の他の様相として、前記受信したページング周期ごとに、前記ページンググループに属するいずれか一つの基地局からページング（ＭＯＢ＿ＰＡＧ−ＡＤＶ）メッセージを受信することが好ましい。
【００２７】
また、前記ページング周期を要請する段階は、前記希望ページング周期に関する情報が含まれた遊休モードへの切り替えを要請する第１メッセージを、前記サービング基地局に送信する段階であることが好ましく、前記第１メッセージは、登録解除要請（ＤＲＥＧ＿ＲＥＱ）メッセージであることがより好ましい。
【００２８】
また、前記ページング周期を受信する段階は、前記受信したページング周期に関する情報が含まれた遊休モードへの切り替えを命令する第２メッセージを、前記サービング基地局から受信する段階であることが好ましく、前記第２メッセージは、登録解除命令（ＤＲＥＧ＿ＣＭＤ）メッセージであることがより好ましい。
【００２９】
（産業上の利用可能性）
本発明は、遊休モードを有する様々な通信システムで利用可能である。また、本発明は、様々な無線通信システムで利用可能であり、遊休モードを有する広帯域無線接続システムでも利用可能である。
【００３０】
本発明は、遊休モードを要請する移動端末に様々な長さのページング周期を割り当てるという効果がある。
【００３１】
また、移動端末の要請するページング周期を反映してページング周期を割り当てることができ、これにより、移動端末の電力消耗を低減できるという効果がある。
【００３２】
本発明は、基本ページング周期ごとにページンググループに属する全ての移動端末の２４ビットＭＡＣアドレスを転送しないため、ページングメッセージ（ＭＯＢ＿ＰＡＧ−ＡＤＶ）の長さを低減できるという効果が得られる。
【発明を実施するための最良の形態】
【００３３】
以下、本発明の好適な実施例について、添付の図面を参照しつつ詳細に説明する。
【００３４】
本発明は、遊休モード（Ｉｄｌｅ  Ｍｏｄｅ）にある移動端末に様々な長さのページング周期を割り当てる方法である。すなわち、本発明は、同一のページング領域内にある各移動端末が、従来のように同一長さのページング周期を有するものではなく、必要によって様々な長さのページング周期を有するようにする基地局との話し合い手順を提案する。このために、本発明は、次のような２つのページング周期割り当て方法を提示する。
【００３５】
第１の方法は、各移動端末が遊休モードへの切り替えを要請する際に、登録解除要請（ＤＲＥＧ＿ＲＥＱ）メッセージに含まれているページング周期要求（Ｐａｇｉｎｇ  Ｃｙｃｌｅ  Ｒｅｑｕｅｓｔ）を基地局がそのまま割り当てる方法である。この方法は、遊休モード状態に切り替える全ての移動端末が、異なるページング周期を有することができるため、各基地局の遊休モードにおける動作が複雑になりうる。
【００３６】
第２の方法は、各移動端末が要求するページング周期を、現在同一のページンググループに属する全ての基地局が共通して使用するページング周期の整数倍で割り当てる方法である。以下では、説明の便宜上、前記同一のページンググループに属する全ての基地局が共通して使用するページング周期を、基本ページング周期という。これによって、各移動端末が要求する値に近似するページング周期を許容することが可能になり、同時に１ページング領域内の全ての基地局は、１ページング周期によってページングメッセージを転送すれば良いため、第１の方法よりはその処理が相当簡単になる。
【００３７】
したがって、同一のページンググループに属する全ての基地局が同一のページング周期を使用する従来の方法を維持しながらも、ある程度多様なページング周期を許容できる第２の方法について説明する。
【００３８】
上記の表２に示すように、移動端末が遊休モードへの切り替えを要請する際にサービング基地局に転送する登録解除要請（ＤＲＥＱ＿ＲＥＱ）メッセージには、端末が要求するページング周期（Ｐａｇｉｎｇ  Ｃｙｃｌｅ  Ｒｅｑｕｅｓｔ）が含まれている。ところで、あるページンググループに属する基地局は、上記表１のようなバックボーン（Ｂａｃｋｂｏｎｅ）メッセージ（Ｐａｇｉｎｇ−ｇｒｏｕｐ−ａｃｔｉｏｎ）を介して既にページング周期（基本ページング周期）が決定されているため、端末の要請するページング周期が端末の要請した通りに前記基地局によって収容される確立は、極めて稀である。
【００３９】
したがって、サービング基地局は、現在自分のページング周期（基本ページング周期）に整数倍をして、端末の所望するページング周期と最も近似する値を設定した後、登録解除命令（ＤＲＥＧ＿ＣＭＤ）メッセージを介して端末に知らせる。このとき、ページングオフセットは、上記表１のようなバックボーンメッセージを介して定められたオフセット値を用いることができる。
【００４０】
ページング周期とページングオフセット値は、ページング制御部（Ｐａｇｉｎｇ  ｃｏｎｔｒｏｌｌｅｒ）で定められることが好ましい。前記ページング制御部は、前記ページング周期とページングオフセット値を算出する機能を行い、特定な基地局に含まれて機能を果たすことができ、基地局を制御する上位階層で機能を行うことができる。本実施例では、前記ページング制御部がサービング基地局に含まれているとして説明する。
【００４１】
前記登録解除命令メッセージが転送された後、前記サービング基地局は、ページング通知（Ｐａｇｉｎｇ＿ａｎｎｏｕｎｃｅ）メッセージを用いて、自分と同一のページンググループに属するすべての基地局に該当の端末が遊休モードへ切り替わったことを知らせるようになる。
【００４２】
前記ページング通知メッセージは、下記の表７に示すように構成されることが好ましい。下記の表６は、従来のページング通知メッセージを示す。本発明の好適な一実施例によるページング通知（Ｐａｇｉｎｇ＿ａｎｎｏｕｎｃｅ）メッセージは、従来のページング通知メッセージにページング周期乗算率（Ｐａｇｉｎｇ  Ｃｙｃｌｅ  Ｍｕｌｔｉｐｌｉｅｒ）が追加されたページング通知メッセージを意味する。前記ページング周期乗算率は、上記の表１のようなバックポーンメッセージ介して既に決定されたページング周期、すなわち、基本ページング周期と前記サービング基地局が移動端末に設定したページング周期との倍率（Ｍｕｌｔｉｐｌｉｅｒ）に関する情報である。したがって、サービング基地局は、本発明の好適な一実施例によるページング通知（Ｐａｇｉｎｇ＿ａｎｎｏｕｎｃｅ）メッセージを介して、前記端末の属するページンググループの全ての基地局に前記端末との連結通報を知らせ、各基地局が同一のページング周期に前記端末をページングできるようにし、また、前記端末に、従来のページング周期（基本ページング周期）の整数倍を満足する多様なページング周期が割り当てられるようにする。
【００４３】
【表６】
2008508779.tif 000008
【００４４】
【表７】
2008508779.tif 000009
図２を参照して、本発明の好適な一実施例による処理流れ図を説明すると、下記の通りである。遊休モードを支援する無線通信システムに連結されうる移動端末は、遊休モードへの切り替えを要請するために、サービング基地局に登録解除要請（ＤＲＥＧ＿ＲＥＱ）メッセージを転送する（Ｓ１１０）。前記登録解除要請メッセージを受信した前記サービング基地局は、前記登録解除要請メッセージを介して前記移動端末が要請したページング周期に最も近接したページング周期を算出する。すなわち、前記サービング基地局は、バックボーンメッセージを介して既に決定されたページング周期、すなわち、基本ページング周期の整数倍であるページング周期を算出する（Ｓ１２０）。前記サービング基地局は、前記算出されたページング周期に関する情報を登録解除命令メッセージに含め、前記登録解除命令メッセージを、前記移動端末に転送する（Ｓ１３０）。また、前記サービング基地局は、同一ページンググループに属する他の基地局に、それぞれの移動端末に割り当てられた前記ページング周期乗算率に関する情報を転送する。前記それぞれの移動端末に割り当てられた前記ページング周期乗算率に関する情報は、ページング通知（Ｐａｇｉｎｇ＿ａｎｎｏｕｎｃｅ）メッセージを介して同一のページンググループに属する他の基地局に転送されて、同一のページンググループに属する全ての基地局に各移動端末のページング周期を知らせる（Ｓ１４０）。
【００４５】
前記サービング基地局は、本発明の好適な一実施例によって前記移動端末に割り当てられたページング周期及びページングオフセット値によって繰り返してページングメッセージ（ＭＯＢ＿ＰＡＧ−ＡＤＶ）を転送する（Ｓ１５０）。前記ページングメッセージは、前記サービング基地局からのみ転送されるものではない。前記サービング基地局の属するページンググループの他の基地局も前記ページングメッセージを転送することができる。前記ステップＳ１４０は、前記ステップＳ１３０以前に行われ、ステップＳ１５０以降にも行われる、または、繰り返して行われることができる。
【００４６】
以下、図２を参照して、本発明の好適な一実施例によってサービング基地局が多様なページング周期を割り当てる例について説明する。例えば、移動端末１（ＭＳＳ  １）が登録解除要請（ＤＲＥＧ＿ＲＥＱ）メッセージを介して要請したページング周期が、基地局間に転送されるバックボーンメッセージ（Ｐａｇｉｎｇ−ｇｒｏｕｐ−ａｃｔｉｏｎ）で定められたページング周期（基本ページング周期）に近接した値の場合、前記端末１の乗算率（ｍｕｌｔｉｐｌｉｅｒ）は１のはずである。また、端末２（ＭＳＳ  ２）が登録解除要請（ＤＲＥＧ＿ＲＥＱ）メッセージを介して要請したページング周期が、基地局間に転送されるバックボーンメッセージ（Ｐａｇｉｎｇ−ｇｒｏｕｐ−ａｃｔｉｏｎ）のページング周期（基本ページング周期）の２倍に近接する場合、前記端末２の乗算率は２のはずである。すなわち、サービング基地局は、前記端末１には既存のページング周期（基本ページング周期）と同一のページング周期を割り当て、前記端末２には既存のページング周期（基本ページング周期）の２倍に該当するページング周期を割り当てる。前記サービング基地局は、登録解除命令（ＤＲＥＧ＿ＣＭＤ）メッセージを介して前記端末１と端末２に前記割り当てられたページング周期を知らせる。また、サービング基地局は、前記表７のページング通知メッセージを介して、同一のページンググループに属する全ての基地局に前記乗算率を伝達することによって、同一のページンググループに属する全ての基地局が本発明による多様なページング周期を割り当てるようにする。
【００４７】
上述の如く、遊休モードにある端末は、ページング周期ごとに放送形態に伝達されるページング（ＭＯＢ＿ＰＡＧ−ＡＤＶ）メッセージを受信する。本発明によってそれぞれの端末に様々なページング周期が割り当てられる場合、１ページング領域で同時に多くの移動端末が遊休モードに切り替わっても、前記ページング（ＭＯＢ＿ＰＡＧ−ＡＤＶ）メッセージに全ての端末の２４ビット（ｂｉｔ）ＭＡＣアドレスを含める必要がないため、放送形態に伝達される前記ページング（ＭＯＢ＿ＰＡＧ−ＡＤＶ）メッセージの長さが大きく増加しない。
【００４８】
本発明は、広帯域無線接続システムの遊休モードの動作への最小限の修正を通じて遊休モードを要請する端末に様々な長さのページング周期を割り当てることができる。特に、端末の要請するページング周期を無視する既存方法とは違い、端末と基地局間の話し合いを可能にするという側面に長所がある。なお、本発明によれば、端末の電力消耗を低減することが可能になる。
【図面の簡単な説明】
【００４９】
【図１】本発明の好適な一実施例による処理流れ図である。
【図２】本発明の好適な一実施例によってサービング基地局が様々なページング周期を割り当てる例を示す図である。
【図１】
2008508779.tif 000010
【図２】
2008508779.tif 000011
【国際調査報告】
2008508779.tif 000012
2008508779.tif 000013
2008508779.tif 000014